(57)【要約】【課題】反射鏡付照明器具において、反射鏡を器具本体に正しく取付けられたことが容易に分かり、取付けの確認作業を省力化することが可能で、低コストに製造できるものとする。【解決手段】反射鏡３の被保持部３ａ，３ｂ近傍の外面には、反射鏡取付け時の回転方向において急峻に落ち込む段差落ち込み部３ｅ（段差部）を備え、器具本体２には、反射鏡３の取付け回転時に反射鏡外面に沿って相対的に移動して、段差落ち込み部３ｅに落ち込む保持金具５の係合具５ｂを備え、段差落ち込み部３ｅは、反射鏡３の取外し時に反射鏡３を器具本体２に対して押し込むことにより係合具５ｂとの係合が緩和されるような構成とした。【選択図】図２
2005174810.tif 000002
【特許請求の範囲】
【請求項１】
ランプが装着される器具本体と、この器具本体に保持され、ランプ光を反射させる反射鏡とを備え、この反射鏡の被保持部を器具本体内に設けられた反射鏡保持部に挿入すると共に回転させることにより保持してなる反射鏡付照明器具において、
前記反射鏡の被保持部近傍の外面には、反射鏡取付け時の回転方向において径方向に落ち込む段差部を備え、
前記器具本体には、反射鏡の取付け回転時に反射鏡外面に沿って相対的に移動して、前記段差部に落ち込む、撓み性を有する係合具を備え、
前記段差部は、反射鏡の取外し時に反射鏡を器具本体に対して押し込むことにより前記係合具との係合が緩和されるような構成としたことを特徴とする反射鏡付照明器具。
【請求項２】
前記段差部の反射鏡取外し時の押し込み方向と逆方向に隣接して、段差高を実質的に低くする段差高低減部を設けたことを特徴とする請求項１記載の反射鏡付照明器具。
【請求項３】
前記段差部を、前記反射鏡保持部よりも径方向外側で反射鏡外面の傾斜面に設けたことを特徴とする請求項２記載の反射鏡付照明器具。
【請求項４】
前記段差高低減部が、段差部の落ち込み底部から反射鏡外面に連続するテーパー面であることを特徴とする請求項２記載の反射鏡付照明器具。
【発明の詳細な説明】
【技術分野】
【０００１】
本発明は、ランプの反射鏡を器具本体に着脱自在な反射鏡付照明器具に関する。
【背景技術】
【０００２】
従来のこの種の反射鏡付照明器具においては、反射鏡が器具本体に正しく取付けられたことを確認する作業が必要であった。そこで、器具本体内に反射鏡保持用のコイル状バネを設け、このコイル状バネに反射鏡の被保持部に形成した溝部を係合させることで、施工者に取付け感が把握できるようにしたものがある（例えば、特許文献１参照）。
【特許文献１】特開２０００−１４９６４５号公報
【発明の開示】
【発明が解決しようとする課題】
【０００３】
しかしながら、このような従来の器具においては、反射鏡を取付ける際の取付け感が施工者に判断しにくく、中途半端な状態で取付けられる恐れがあり、依然として、正しく取付けられたことを確認する作業を行う必要があった。また、コイル状バネを固定するための部材が必要となることから、コスト高になっていた。
【０００４】
本発明は、反射鏡を器具本体に正しく取付けられたことが容易に分かり、取付けの確認作業を省力化することが可能で、低コストに製造できる反射鏡付照明器具を提供することを目的とする。
【課題を解決するための手段】
【０００５】
上述目的を達成するため、請求項１の発明は、ランプが装着される器具本体と、この器具本体に保持され、ランプ光を反射させる反射鏡とを備え、この反射鏡の被保持部を器具本体内に設けられた反射鏡保持部に挿入すると共に回転させることにより保持してなる反射鏡付照明器具において、前記反射鏡の被保持部近傍の外面には、反射鏡取付け時の回転方向において径方向に落ち込む段差部を備え、前記器具本体には、反射鏡の取付け回転時に反射鏡外面に沿って相対的に移動して、前記段差部に落ち込む、撓み性を有する係合具を備え、前記段差部は、反射鏡の取外し時に反射鏡を器具本体に対して押し込むことにより前記係合具との係合が緩和されるような構成としたものである。
請求項２の発明は、請求項１記載の反射鏡付照明器具において、段差部の反射鏡取外し時の押し込み方向と逆方向に隣接して、段差高を実質的に低くする段差高低減部を設けたことを特徴とする。
請求項３の発明は、請求項２記載の反射鏡付照明器具において、段差部を、前記反射鏡保持部よりも径方向外側で反射鏡外面の傾斜面に設けたことを特徴とする。
請求項４の発明は、請求項２記載の反射鏡付照明器具において、段差高低減部が、段差部の落ち込み底部から反射鏡外面に連続するテーパー面であることを特徴とする。
【発明の効果】
【０００６】
請求項１，２の発明によれば、反射鏡保持部への反射鏡の取付け回転時に、係合具が反射鏡外面に沿って相対移動して反射鏡の段差部に急峻に落ち込むので、その時の振動・衝撃音でもって施工者は反射鏡の取付け感を十分に掴むことができ、容易かつ確実に反射鏡を取付けることができる。しかも、そのための構成は簡単で低コストとなる。また、反射鏡の取外し時には、反射鏡を器具本体に押し込むことにより、反射鏡と係合具との係合が緩和されるので、容易に取外し作業をすることができる。
請求項３の発明によれば、段差部が反射鏡保持部より径方向外側にあるので、係合具が段差部に落ち込んだ時の衝撃が大きく、反射鏡取付け時の上記効果が増大する。
請求項４の発明によれば、反射鏡取外し時に反射鏡を器具本体に押し込むと、係合具は段差部の落ち込み底部からテーパー面を通って反射鏡外面にスムーズに移動し、取外し作業が容易となる。
【発明を実施するための最良の形態】
【０００７】
以下、本発明の実施形態に係る反射鏡付照明器具について図面を参照して説明する。
（実施例１）
図１は本実施形態の反射鏡付照明器具の器具本体へ反射鏡を取付けた状態を示し、図２は反射鏡の取付けの様子を示し、図３は反射鏡の外観を示す。反射鏡付照明器具１は、筒状の器具本体２と、この器具本体２内のソケット６に装着されるランプ４と、ランプ光を反射させる反射鏡３と、器具本体２に設けられ反射鏡３を保持する保持金具５とを備えている。反射鏡３は、傘状で上端中央部にランプ挿通用の開口があり、その外周面に設けられた被保持部３ａ，３ｂを保持金具５のリング状内部に挿入する（矢印Ａ）と共に回転させる（矢印Ｂ）ことにより保持させる。このとき、保持金具５のリング状内方に設けられた反射鏡保持部５ａが、反射鏡３の被保持部３ａ，３ｂを構成するＬ字状突形状とそれによる凹部（図３参照）に嵌まり込むことで、反射鏡３は保持金具５に保持される。器具本体２は取付け面にアーム７により照射方向自在に取付けられる。
【０００８】
反射鏡３の被保持部３ａ，３ｂの径方向外側に位置する、反射鏡３の外面の傾斜面には、反射鏡取付け時の回転方向に互いに対向した凸状隆起部３ｃ，３ｄが設けられ、これにより、同回転方向において急峻に径方向に落ち込む段差落ち込み部３ｅ（段差部）を構成している。他方、保持金具５のリング状外方の下側には、撓み性を有する係合片５ｂ（係合具）が設けられ、この係合片５ｂは、反射鏡３の取付け回転時にその外面の凸状隆起部３ｃ，３ｄに当接した状態でそれに沿って相対移動し、それを乗り越えることで、段差落ち込み部３ｅに落ち込み係合する。なお、係合片５ｂは、反射鏡３の外周面に２個配設されたものを示し、被保持部３ａ，３ｂの組は反射鏡３の外周面に４個配設されたものを示したが、これらに限られるものではない。
【０００９】
図４及び図５は器具本体２への反射鏡３の取付け動作を示す。反射鏡３の取付け時は、反射鏡３を器具本体２に挿入し（矢印Ａ）、回転させる（矢印Ｂ）ことで、保持金具５の係合片５ｂが反射鏡３の外面に設けられた凸状隆起部３ｃを乗り越えて段差落ち込み部３ｅに急峻に落ち込み、その落ち込みに際して、係合片５ｂが反射鏡３の外面に接触することによる振動や音により、施工者に取付けが完了したことを知らせることが可能となる。
【００１０】
また、段差落ち込み部３ｅに落ち込んだ係合片５ｂは、急峻に落ち込んだ凸状隆起部３ｃ，３ｄの側面にほぼ垂直に接するため、逆回転させるだけでは、その段差を乗り越えることができず、容易に外れる恐れはない。また、係合片５ｂの落ち込み動作が、反射鏡３の被保持部３ａ，３ｂよりも径方向外側であって大径部位で行われるので、小径部位の場合に較べて施工者に取付け感を十分に与えることができる。
【００１１】
図６は器具本体２からの反射鏡３の取外し動作を示す。上記段差落ち込み部３ｅを構成する凸状隆起部３ｃ，３ｄは、反射鏡３の取外し時に反射鏡３を器具本体２に対して押し込むことにより、凸状隆起部３ｃ，３ｄと係合片５ｂとの係合が緩和され、又は外れ得るような大きさ、形状とされている。これにより、反射鏡３の取外し時には、反射鏡３を器具本体側へ押し込む（矢印Ａ）ことで、保持金具５の係合片５ｂは反射鏡３の凸状隆起部３ｃの段差高が緩利された部位に移動し、反射鏡３を逆回転させることにより、凸状隆起部３ｃを避けて容易に段差落ち込み部３ｅから取外すことができる。ここに、反射鏡３の外面は傾斜面であるので、反射鏡３を押し込み易く、係合片５ｂを段差落ち込み部３ｅから外れた位置に移動させ易い。
【００１２】
（実施例２）
図７は、本実施例による反射鏡を示す。上記実施例１では、反射鏡３に段差部を構成する部材として凸状隆起部３ｃ，３ｄを設けた例を示したが、これに代えて本実施例では、反射鏡３の外面に、反射鏡取付け時の回転方向に急峻に落ち込む凹状の段差落ち込み部３ｆ（段差部）を構成した。器具本体側の保持金具は、上記実施例１と同様である。この構成においても上記と同等の効果が得られる。
【００１３】
（実施例３）
図８は、本実施例による反射鏡を示す。本実施例では、上記実施例２による反射鏡３の外面に凹状の段差落ち込み部３ｆを構成し、さらには、この段差落ち込み部３ｆの反射鏡取外し時の押し込み方向と逆方向に隣接し、かつ、取外し方向に向けて、段差高を実質的に低くする段差高低減部として、段差落ち込み部３ｆの落ち込み底部から反射鏡外面に連続するテーパー面３ｇを形成した。器具本体側の保持金具は、上記実施例１と同様である。この構成においては、反射鏡３の取外しに際して、反射鏡３を器具本体側に押し込んでテーパー面３ｇを用いることで取外し作業がより一層容易となる。
【００１４】
（実施例４）
図９は本実施例による反射鏡を示し、図１０は本実施例での反射鏡の取外し動作を示す。反射鏡３の外面に設けられた凸状隆起部３ｃ，３ｄにより段差落ち込み部３ｆを形成すると共に、この段差落ち込み部３ｆの底面部に反射鏡取外し時の押し込み方向と逆方向に隣接して、段差高を緩和させる凸状テーパー部３ｈを形成した。反射鏡取り外し時は、反射鏡３を器具本体側へ押し込み逆回転させる。このとき、反射鏡３の器具本体への押し込み動作（矢印Ａ）により、器具本体に設けられた係合片５ｂが凸状テーパー部３ｈに乗り上げることで、凸状隆起部３ｃの頂点位置以上の高さまで押し上げられ（矢印Ｄ）、容易に反射鏡３を逆回転することが可能になり、取外すことができる。
【００１５】
本発明は、上記実施形態の構成に限られず、種々の変形が可能であり、例えば、段差落ち込み部３ｅや段差落ち込み部３ｆは、上記では反射鏡３の外周面の２箇所対称位置に配置した構成を示したが、１箇所若しくは３箇所以上に配置したものであってもよい。
【図面の簡単な説明】
【００１６】
【図１】本発明の第１実施形態に係る反射鏡付照明器具の断面図。
【図２】同照明器具の反射鏡の取付けの様子を示す斜視図。
【図３】同照明器具の反射鏡の斜視図。
【図４】同照明器具の反射鏡の取付け動作を説明する斜視図。
【図５】同上の部分断面図。
【図６】同照明器具の反射鏡の取外し動作を説明する断面図。
【図７】本発明の第２実施形態に係る照明器具の反射鏡の斜視図。
【図８】本発明の第３実施形態に係る照明器具の反射鏡の斜視図。
【図９】本発明の第４実施形態に係る照明器具の反射鏡の斜視図。
【図１０】同照明器具の反射鏡の取外し動作を説明する断面図と部分拡大図。
【符号の説明】
【００１７】
１  反射鏡付照明器具
２  器具本体
４  ランプ
３  反射鏡
３ａ，３ｂ  反射鏡の被保持部
３ｃ，３ｄ  凸状隆起部
３ｅ  段差落ち込み部（段差部）
３ｆ  凹状の段差落ち込み部（段差部）
３ｇ  テーパー面
３ｈ  凸状テーパー部
５  保持金具
５ａ  反射鏡保持部
５ｂ  係合片（係合具）
【図１】
2005174810.tif 000003
【図２】
2005174810.tif 000004
【図３】
2005174810.tif 000005
【図４】
2005174810.tif 000006
【図５】
2005174810.tif 000007
【図６】
2005174810.tif 000008
【図７】
2005174810.tif 000009
【図８】
2005174810.tif 000010
【図９】
2005174810.tif 000011
【図１０】
2005174810.tif 000012